(57)【要約】【課題】ネジ締めに伴ない発生する不具合を抑制して光学素子の角度調整が行なえ、調整後の角度のずれを抑制する調整機構およびプロジェクタを提供することである。【解決手段】角度調整機構８００（調整機構）は、第１枠体８２０が入射側偏光板４４２を収容し、突起部８１４と第１孔部８２４が、回動軸Ｋ１を中心としてベース枠体８１０に第１枠体８２０を軸支し、第１受部８２６が、ベース枠体８１０に対して第１枠体８２０を回動させ、回動抑制部の抑制補助部材８４０が、抑制補助部材８４０をベース枠体８１０に固定する固定部（案内片８４３、抑制ネジ案内孔８４２）と、ベース枠体８１０に対して第１枠体８２０の動作の抑制を補助する補助部（押圧部８４１）とを有し、回動抑制部の抑制部材（抑制ネジ８５０）が、抑制補助部材８４０の押圧部８４１を介してベース枠体８１０に対して第１枠体８２０の回動を抑制する。【選択図】図５
2010091645.tif 000002
【特許請求の範囲】
【請求項１】
光学素子の取り付け角度を調整する調整機構であって、
ベース枠体と、
前記光学素子を収容する収容枠体と、
前記光学素子を含む光学系の照明光軸に略平行に設定される回動軸を有し、当該回動軸を中心として前記ベース枠体と前記収容枠体とに形成され、前記ベース枠体に前記収容枠体を軸支する軸支部と、
前記収容枠体に形成され、前記軸支部により、前記ベース枠体に対して前記収容枠体を回動させる調整部と、
前記ベース枠体に対して前記収容枠体の動作の抑制を補助する抑制補助部材と、前記抑制補助部材を介して前記ベース枠体に対して前記収容枠体の回動を抑制する抑制部材とを有する回動抑制部と、
を備えることを特徴とする調整機構。
【請求項２】
請求項１に記載の調整機構であって、
前記ベース枠体に形成される前記軸支部は、前記回動軸を中心として突出する突起部を有し、
前記収容枠体に形成される前記軸支部は、前記回動軸を中心とする孔部を有し、
前記突起部と前記孔部との嵌合により、前記ベース枠体は前記収容枠体を軸支することを特徴とする調整機構。
【請求項３】
請求項２に記載の調整機構であって、
前記抑制補助部材は、前記突起部と係合して前記抑制補助部材を案内する抑制補助部材案内部と、前記抑制部材を案内する抑制部材案内部と、を有することを特徴とする調整機構。
【請求項４】
請求項１〜請求項３のいずれか一項に記載の調整機構であって、
前記抑制部材は、ネジで構成され、当該ネジは、前記抑制補助部材を介して、前記ベース枠体に形成される螺合部と螺合することを特徴とする調整機構。
【請求項５】
請求項１〜請求項４のいずれか一項に記載の調整機構であって、
前記ベース枠体は、前記照明光軸に沿った方向で、前記ベース枠体の前側および後側の少なくとも一方の側に前記収容枠体を軸支することを特徴とする調整機構。
【請求項６】
請求項５に記載の調整機構であって、
前記ベース枠体が、前記照明光軸に沿った方向で、前記ベース枠体の前側および後側に前記収容枠体を軸支する場合、各々の前記回動軸は、前記照明光軸を通る垂直平面に対して略対称に設定されることを特徴とする調整機構。
【請求項７】
請求項１〜請求項６のいずれか一項に記載の調整機構であって、
前記ベース枠体と前記収容枠体とを挟持して保持する保持部材を有することを特徴とする調整機構。
【請求項８】
請求項７に記載の調整機構であって、
前記保持部材は、ばね部材で構成されることを特徴とする調整機構。
【請求項９】
光源と、
前記光源から射出された光束を画像信号に基づき変調して光学像を形成する電気光学装置と、
請求項１〜請求項８のいずれか一項に記載の調整機構と、を備えることを特徴とするプロジェクタ。
【請求項１０】
請求項９に記載のプロジェクタであって、
前記調整機構が有する前記ベース枠体は、取り付け角度を調整する前記光学素子に比べて前記光源側に設置される光学素子を収容する光学用筐体に固定されることを特徴とするプロジェクタ。
【発明の詳細な説明】
【技術分野】
【０００１】
本発明は、光学素子の取り付け角度を調整する調整機構と、調整機構を備えたプロジェクタに関する。
【背景技術】
【０００２】
従来、光源から射出された光束を、画像信号に基づき変調して光学像を形成し、形成された光学像を投写レンズなどを介して、スクリーンなどの投写対象面に光学像を投写するプロジェクタが知られている。そして、プロジェクタは、会議、展示会などではプレゼンテーション用として、また、家庭などでは映画鑑賞用として広く利用されている。このようなプロジェクタは、前述したいずれの用途に使用される場合においても、投写された画像の品質に対して、見やすさやきれいさを実現するために、高コントラストや高輝度が求められている。
【０００３】
そのため、偏光光を用いるプロジェクタでは、光の偏光方向を精度良く制御することが行なわれる。詳細には、電気光学装置（例えば液晶パネル）を挟むように配置される入射側偏光板と射出側偏光板との偏光軸同士のなす角度や、入射側偏光板および射出側偏光板のそれぞれの偏光軸の角度や、あるいは、位相差板（波長板）の光軸の角度などを、電気光学装置（例えば液晶パネル）の電気光学材料（例えば液晶）の層厚や配向に対応させた最適な角度に調整することが行なわれる。
【０００４】
なお、特許文献１では、入射側偏光板、射出側偏光板などの光学素子の角度を微調整することで、最良のコントラストや高輝度を得るために、第１枠体が光学素子を有する第２枠体を軸支し、調整部材によって第２枠体が適宜回動可能となる角度調整機構を備えることが開示されている。
【０００５】
【特許文献１】特開２０００−２５９０９３号公報
【発明の開示】
【発明が解決しようとする課題】
【０００６】
上記特許文献１によると、調整部材にはネジが使用されている。そのため、光学素子の偏光軸の角度調整を行なう際には、バックラッシュを加味して角度調整を行なう必要があり、角度調整作業の効率が低下するという課題があった。また、角度調整を行なった後の角度調整機構に衝撃が加わった場合には、調整した角度がずれやすいという課題があり、調整後のネジ締め部に接着剤を塗布して固定することも行なわれていた。また、ネジ締めによる偏光軸などの調整において、ネジ締めに伴い発生する回転モーメントが、調整板などを歪ませる原因ともなっていた。
従って、ネジ締めに伴ない発生する不具合（バックラッシュの影響や回転モーメントの影響など）を抑制して光学素子の角度調整が行なえ、調整後の角度のずれを抑制する調整機構が要望されていた。
【課題を解決するための手段】
【０００７】
本発明は、上述した課題の少なくとも一部を解決するためになされたものであり、以下の形態または適用例として実現することが可能である。
【０００８】
［適用例１］本適用例に係る調整機構は、光学素子の取り付け角度を調整する調整機構であって、ベース枠体と、光学素子を収容する収容枠体と、光学素子を含む光学系の照明光軸に略平行に設定される回動軸を有し、回動軸を中心としてベース枠体と収容枠体とに形成され、ベース枠体に収容枠体を軸支する軸支部と、収容枠体に形成され、軸支部により、ベース枠体に対して収容枠体を回動させる調整部と、ベース枠体に対して収容枠体の動作の抑制を補助する抑制補助部材と、抑制補助部材の補助部を介してベース枠体に対して収容枠体の回動を抑制する抑制部材とを有する回動抑制部と、を備えることを特徴とする。
【０００９】
このような構成によれば、調整機構は、調整部により、回動軸を中心として、ベース枠体に対して収容枠体を回動させる。このように、ベース枠体に対して収容枠体を回動させることにより、収容枠体に収容する光学素子を回動させることで、光学素子の取り付け角度の調整（以降、光学素子の角度調整という）を行なうことができる。また、調整機構は、回動抑制部の抑制部材により、抑制補助部材を介して、角度調整した収容枠体をベース枠体に固定することで、ベース枠体に対して収容枠体の回動を抑制する。
【００１０】
このように、光学素子の角度調整を行なう際には、調整部を用いて行なうため、従来用いられたネジを使用していない。従って、光学素子の角度調整を行なう際には、バックラッシュなどの影響をなくすことができる。また、抑制補助部材は、ベース枠体に固定され、抑制部材は、収容枠体をベース枠体に固定している。これにより、抑制部材が、角度調整を行なった収容枠体を、抑制補助部材を介してベース枠体に固定する際、抑制補助部材がベース枠体に固定されて抑制補助部材の移動が抑制されるため、抑制部材の動作による影響（例えば、従来の回転モーメントの影響やバックラッシュの影響）が抑制補助部材を介して収容枠体に伝達されることが、低減される。このような抑制部材により、抑制補助部材を介して、角度調整終了後の収容枠体をベース枠体に確実に固定することができ、ベース枠体に対して収容枠体の回動を抑制する。従って、上述した調整機構により、バックラッシュの影響や回転モーメントの影響を低減して光学素子の角度調整が行なえ、調整後の角度のずれも低減できる。
【００１１】
［適用例２］上記適用例に係る調整機構において、ベース枠体に形成される軸支部は、回動軸を中心として突出する突起部を有し、収容枠体に形成される軸支部は、回動軸を中心とする孔部を有し、突起部と孔部との嵌合により、ベース枠体は収容枠体を軸支することが好ましい。
【００１２】
このような構成によれば、ベース枠体に形成される軸支部が、突出する突起部を有することにより、収容枠体に形成される軸支部が有する孔部を、突起部に嵌合し、回動軸を中心として軸支する。従って、上述したと同様の効果を奏することができる他、簡易な構成で、ベース枠体に対して収容枠体を確実に軸支して回動させることができる。
【００１３】
［適用例３］上記適用例に係る調整機構において、抑制補助部材は、突起部と係合して抑制補助部材を案内する抑制補助部材案内部と、抑制部材を案内する抑制部材案内部と、を有することが好ましい。
【００１４】
このような構成によれば、抑制補助部材は、抑制補助部材案内部と抑制部材案内部とを有して構成される。そして、抑制補助部材案内部は、突起部と係合して抑制補助部材自体を案内し、また、抑制部材案内部は抑制部材を案内することで、抑制補助部材を設置し、抑制部材により抑制補助部材がベース枠体に固定される。この構成により、上述したと同様の効果を奏することができる他、抑制補助部材の固定部を、突起部や抑制部材の領域に設置することができるため、抑制補助部材の固定部は、収容枠体の回動に影響されないベース枠体の領域に設置する必要がなく、抑制補助部材の効率的な配置ができるため、コンパクトな調整機構を実現することができる。
【００１５】
［適用例４］上記適用例に係る調整機構において、抑制部材は、ネジで構成され、ネジは、抑制補助部材を介して、ベース枠体に形成される螺合部と螺合することが好ましい。
【００１６】
このような構成によれば、抑制部材にネジを用いてベース枠体の螺合部と螺合するという簡易な構成と簡易な方法で、角度調整を行なった収容枠体に対して、従来のネジによる影響を低減するとともに、ベース枠体に確実に固定することができる。
【００１７】
［適用例５］上記適用例に係る調整機構において、ベース枠体は、照明光軸に沿った方向で、ベース枠体の前側および後側の少なくとも一方の側に収容枠体を軸支することが好ましい。
【００１８】
このような構成によれば、ベース枠体は、照明光軸に沿った方向で、ベース枠体の前側に収容枠体を軸支することや、ベース枠体の後側に収容枠体を軸支することや、あるいは、ベース枠体の前側および後側の両側に収容枠体を軸支する構成となる。従って、光学設計上、適宜、収容枠体を軸支する側を決めることができる。また、特に、ベース枠体の両側（前側、後側）に収容枠体を軸支することにより、複数の光学素子に対し、それぞれ角度調整を行なうことができる。
【００１９】
［適用例６］上記適用例に係る調整機構において、ベース枠体が、照明光軸に沿った方向で、ベース枠体の前側および後側に収容枠体を軸支する場合、各々の回動軸は、照明光軸を通る垂直平面に対して略対称に設定されることが好ましい。
【００２０】
このような構成によれば、ベース枠体の前側および後側に軸支する収容枠体の形状を略同様の形状として設計できるため、設計の効率化が図れる。
【００２１】
［適用例７］上記適用例に係る調整機構において、ベース枠体と収容枠体とを挟持して保持する保持部材を有することが好ましい。
【００２２】
このような構成によれば、保持部材により、ベース枠体と収容枠体を挟持して保持することにより、ベース枠体と収容枠体とが離間しないように固定できる。
【００２３】
［適用例８］上記適用例に係る調整機構において、保持部材は、ばね部材で構成されることが好ましい。
【００２４】
このような構成によれば、ばね部材という簡易な構成で、ベース枠体に収容枠体を挟持して保持することができる。
【００２５】
［適用例９］本適用例に係るプロジェクタは、光源と、光源から射出された光束を画像信号に基づき変調して光学像を形成する電気光学装置と、上述したいずれかの調整機構と、を備えることを特徴とする。
【００２６】
このような構成によれば、プロジェクタは、上述した調整機構の効果を奏する。また、調整機構により、光学素子の角度調整を行なうことにより、光学素子の例えば偏光軸や光軸の角度を最適に調整することができるため、投写するための光学像を、高コントラストおよび高輝度な光学像とすることができる。また、調整機構により、調整後においても角度のずれを低減できるため、安定した品質を維持できる。
【００２７】
［適用例１０］上記適用例に係るプロジェクタにおいて、調整機構が有するベース枠体は、取り付け角度を調整する光学素子に比べて光源側に設置される光学素子を収容する光学用筐体に固定されることが好ましい。
【００２８】
このような構成によれば、調整機構の基準となるベース枠体を、光学用筐体に固定することにより、光学用筐体に収容する光学素子と調整機構で調整される光学素子とを一体の構成物（ユニット）として取り扱うことができ、実際の角度調整時にこのユニットを用いて、効率的に角度調整が行なえる。また、角度調整を終えたこのユニットをプロジェクタの外装ケースに組み込む場合にも、一体であるため、容易に組み込むことができる。
【発明を実施するための最良の形態】
【００２９】
以下、実施形態を図面に基づいて説明する。
（実施形態）
【００３０】
図１は、本発明の実施形態に係るプロジェクタの上面側から見た概略斜視図である。図２は、プロジェクタの下面側から見た概略斜視図である。
図１、図２を参照して、プロジェクタ１の全体構成を説明する。なお、本実施形態の説明を補助するため、以降の図面には座標系を図示している。座標系は、プロジェクタ１の投写レンズ３が設置される前面に向かって見た場合を基準として、プロジェクタ１の後方向から前方向に向かう方向をＸ軸方向とし、左方向から右方向に向かう方向をＹ軸方向とし、下方向から上方向に向かう方向をＺ軸方向としている。
【００３１】
プロジェクタ１は、光源としての光源ランプから射出された光束を赤（Ｒ）、緑（Ｇ）、青（Ｂ）の三原色に分離し、これらの各色光束を電気光学装置を構成する液晶パネルを通して画像信号に基づいて変調し、変調した後の各色光の変調光束を色合成光学系により合成して、投写レンズ３を介して投写対象面（例えばスクリーン）に拡大表示する形式のものである。投写レンズ３の一部を除いて、各構成部品は外装ケース２の内部に収容されている。
【００３２】
図１、図２を参照して、外装ケース２の構造を説明する。
外装ケース２は、プロジェクタ１の上面を覆い、また、側面、背面、および前面の上半分を覆うアッパーケース２１と、プロジェクタ１の底面を覆い、また、側面、背面、および前面の下半分を覆うロアケース２２とで構成される。また、外装ケース２は、合成樹脂で形成されている。
【００３３】
図１に示すように、外装ケース２（アッパーケース２１）の上面において、その後方側（投写レンズ３と逆側）の中央には、投写のＯＮ／ＯＦＦ動作を行なう電源スイッチ２７が設置されている。電源スイッチ２７の後方には、ソースサーチスイッチ２８が設置され、プロジェクタ１に入力されているソースを検出し、検出した場合には、そのソースに切り替える。また、ソースサーチスイッチ２８の後方には、プロジェクタ１の動作状態を表示するインジケータランプ２９が設置されている。また、インジケータランプ２９の後方から背面の上部にかけて、リモートコントローラ（図示省略）からの信号を受信するリモコン受光部２１３が設置されている。
【００３４】
また、アッパーケース２１の上面の前方側（投写レンズ３側）には、投写レンズ３を中心として左右の部位に、投写レンズ３の左右位置および上下位置を調整する投写レンズ位置調整部３０を構成する２つのダイヤル３０１，３０２が露出して設置されている。そして、一方のダイヤル３０１を回動することにより、投写レンズ３を上下に移動させることができる。また、他方のダイヤル３０２を回動することにより、投写レンズ３を左右に移動させることができる。アッパーケース２１の上面の中央には、光源装置の交換時に開放される光源装置交換蓋２１２が設置されている。光源装置交換蓋２１２をアッパーケース２１の上面から着脱することで、内部の光源装置（図示省略）を交換することが可能となる。
【００３５】
外装ケース２の前面右側には、変調された光束を拡大投写する投写レンズ３が取り付けられている。また、投写レンズ３の右側の外装ケース２（ロアケース２２）には、リモートコントローラ（図示省略）からの信号を受信するリモコン受光部２１３が設置されている。また、投写レンズ３の左側の外装ケース２には、プロジェクタ１の内部の温まった空気をプロジェクタ１の外部に排気するダクト２１４が設置されている。なお、外装ケース２の右側の側面には、画質などを調整するための操作パネル（図示省略）が設置されている。
【００３６】
図２に示すように、外装ケース２（ロアケース２２）の背面には、プロジェクタ１の内部を冷却する冷却空気を取り入れるための空気取入口２２１が設置されている。また、空気取入口２２１の上部には、各種の入出力端子群２５が設置されている。空気取入口２２１の横には、外部電力供給用のＡＣインレット２４や主電源のＯＮ／ＯＦＦ動作を行なう主電源スイッチ２６が設置されている。
【００３７】
ロアケース２２の底面には、３ヶ所の脚部２２２が設置され、前方側端部となる左右の角部に調整脚部２２２Ｒ，２２２Ｌが設置され、後方側端部の略中央部に固定脚部２２２Ｃが設置されている。なお、調整脚部２２２Ｒ，２２２Ｌの上下方向の進退量を調整することによって、表示画面の傾きを変更することが可能となる。
【００３８】
図３は、プロジェクタの内部構造を示す斜視図である。詳細には、図１に示す状態のプロジェクタ１からアッパーケース２１などを取り外した状態を示している。
図３を参照して、プロジェクタ１の内部構造を説明する。
【００３９】
外装ケース２の内部には、プロジェクタ１の装置本体が収容されている。そして、内部の左右方向に延び、一方の端部が前方に延びる平面略Ｌ字状の光学ユニット４と、光学ユニット４の上方に設置される制御基板（図示省略）と、ロアケース２２の左側の内側に沿って背面側から前面側に渡って設置される電源ユニット５などを備えている。
【００４０】
そして、光学ユニット４の背面側でロアケース２２の内側に沿って設置される冷却ユニット７を備えている。冷却ユニット７は、空気取入口２２１から外気を吸気して光学ユニット４や電源ユニット５に吐出する。そして、冷却ユニット７は、光学ユニット４や電源ユニット５で発熱した熱が伝熱された空気を、ダクト２１４を介して、プロジェクタ１の外部に排気して冷却する。
【００４１】
図３を参照して、電源ユニット５の構成および動作を説明する。
電源ユニット５は、光源装置４１１（図４参照）および制御基板などに電力を供給するものであり、図３に示すように、電源回路を備えた電源ブロック５０と、ランプ駆動ブロック５１とを備えている。
【００４２】
電源ブロック５０は、ＡＣインレット２４に接続された電源ケーブル（図示省略）を通して外部から供給された電力を、光源装置４１１を駆動するランプ駆動ブロック５１および制御基板などに供給する。電源ブロック５０は、入力される交流を定電圧の直流に変換するトランスや、このトランスからの出力を所定の電圧に変換する変換回路などが実装された回路基板などを備える。
【００４３】
ランプ駆動ブロック５１は、光源装置４１１に安定した電圧で電力を供給するための変換回路などが実装された回路基板を備え、電源ブロック５０から入力した商用交流電流は、このランプ駆動ブロック５１によって、直流電流や交流矩形波電流に変換され、光源装置４１１に供給される。
【００４４】
制御基板（図示省略）の構成と動作を説明する。
制御基板は、光学ユニット４の上方に配置されるメイン基板（図示省略）と、このメイン基板と光源収容部４５２との間に配置されるサブ基板（図示省略）とを備えている。
【００４５】
メイン基板は、ＣＰＵ（Central Processing Unit）などの演算処理装置が実装された回路基板として構成され、プロジェクタ１全体の動作を制御する。このメイン基板は、入出力端子群２５を実装したインターフェース基板（図示省略）から出力される信号に基づいて、後述する電気光学装置としての各液晶パネル４４１Ｒ，４４１Ｇ，４４１Ｂ（図４参照）を駆動制御する。そして、各液晶パネル４４１Ｒ，４４１Ｇ，４４１Ｂは、光変調を実施して光学像を形成する。なお、インターフェース基板は、入出力端子群２５からの入出力信号を処理する回路基板である。また、メイン基板は、操作パネルやリモコン受光部２１３から入力された操作信号を入力し、この操作信号に基づいてプロジェクタ１の構成部に適宜、制御信号を出力する。
【００４６】
サブ基板は、冷却ユニット７を構成する複数の冷却ファン（図示省略）を駆動するためのファン駆動回路が実装された基板であり、メイン基板と電気的に接続され、メイン基板から出力される制御信号を入力することで、冷却ファンを駆動させる。
【００４７】
図４は、光学ユニットの光学系を模式的に示す図である。
図３、図４を参照して、光学ユニット４の構成を説明する。
光学ユニット４は、光源装置４１１から射出された光束を画像情報に応じて変調して光学像を形成し、投写レンズ３を介してスクリーン上に投写画像を形成するものである。この光学ユニット４の光学系は、図４に示すように、インテグレータ照明光学系４１と、色分離光学系４２と、リレー光学系４３と、電気光学装置と、色合成光学系とから構成される。また、電気光学装置と色合成光学系とは一体化した光学装置４４として構成されている。
【００４８】
光学ユニット４は、前記光学系４１，４２，４３を構成する各光学部品を収容して固定する光学用筐体４５を備えている。詳細には、光学用筐体４５は、前記光学系４１，４２，４３を構成する各光学部品を案内して収容する光学部品収容部４５１と、光源装置４１１を案内して収容する光源収容部４５２とで構成される。また、光学用筐体４５は、上収容筐体４５Ａと、下収容筐体４５Ｂとで構成され、光学部品収容部４５１および光源収容部４５２に相当する光学部品は、この上収容筐体４５Ａと下収容筐体４５Ｂとにより、上下方向から挟まれる形態で収容されている。そして、上収容筐体４５Ａおよび下収容筐体４５Ｂは、ネジ固定されてユニット化され、ロアケース２２の側に固定ネジにより固定されている。
【００４９】
電気光学装置と色合成光学系を構成する光学部品は、光学用筐体４５とは別に備える固定枠体４８に収容して固定される。固定枠体４８は、側面略Ｌ字状で、マグネシウム合金の一体成形品で形成されている。そして、この固定枠体４８に、光学装置４４を収容し、その対向側に投写レンズ３を収容して固定する。また、固定枠体４８は、投写レンズ３の外周部に、前述した投写レンズ３の上下位置および左右位置を調整する投写レンズ位置調整部３０（ダイヤル３０１，３０２を含む）を構成する機構部品を収容して固定している。また、固定枠体４８は、前述した光学用筐体４５も案内して固定する構造となっている。そして、固定枠体４８は、ロアケース２２に固定ネジにより固定される。
【００５０】
図４を参照して、光学系の構成と動作を説明する。
図４に示すように、インテグレータ照明光学系４１は、光源から射出された光束を照明光軸Ｌに直交する面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
【００５１】
光源装置４１１は、放射光源としての光源ランプ４１１Ａ、リフレクタ４１１Ｂ、リフレクタ４１１Ｂの光束射出面を覆う防爆ガラス４１１Ｃ、および、光源ランプ４１１Ａとリフレクタ４１１Ｂと防爆ガラス４１１Ｃとを収容して固定する光源用筐体４１１Ｄを備えて構成されている。そして、光源ランプ４１１Ａから射出された放射状の光束は、リフレクタ４１１Ｂで反射されて略平行光束とされ、外部へ射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプなどを採用してもよい。また、リフレクタ４１１Ｂとして放物面鏡を採用しているが、これに限らず、楕円面鏡からなるリフレクタの射出面に平行化凹レンズを配置した構成を採用してもよい。
【００５２】
第１レンズアレイ４１２は、照明光軸Ｌ方向から見て略矩形形状の輪郭を有する小レンズがマトリクス状に配列された構成を有している。各小レンズは、光源ランプ４１１Ａから射出された光束を部分光束に分割し、照明光軸方向に射出する。第２レンズアレイ４１３は、第１レンズアレイ４１２と略同様の構成であり、小レンズがマトリクス状に配列された構成を有する。この第２レンズアレイ４１３は、重畳レンズ４１５とともに、第１レンズアレイ４１２の各小レンズの像を光学装置４４の後述する電気光学装置（液晶パネル４４１）上に結像させる機能を有する。
【００５３】
偏光変換素子４１４は、第２レンズアレイ４１３からの光を略１種類の偏光光に変換するものであり、これにより、光学装置４４での光の利用効率を高めている。詳細には、偏光変換素子４１４によって略１種類の偏光光に変換された各部分光束は、重畳レンズ４１５によって最終的に光学装置４４の後述する液晶パネル４４１上に略重畳される。
【００５４】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
【００５５】
リレー光学系４３は、入射側レンズ４３１と、リレーレンズ４３３と、反射ミラー４３２，４３５とを備えている。このリレー光学系４３は、色分離光学系４２で分離された色光である青色光を光学装置４４の後述する青色光用の液晶パネル４４１まで導く機能を有している。
【００５６】
なお、色分離光学系４２のダイクロイックミラー４２１は、インテグレータ照明光学系４１から射出された光束のうち、緑色光成分と青色光成分とを透過させ、赤色光成分を反射させる。ダイクロイックミラー４２１によって反射した赤色光は、反射ミラー４２３で反射し、フィールドレンズ４１９を通って、赤色光用の液晶パネル４４１に到達する。このフィールドレンズ４１９は、第２レンズアレイ４１３から射出された各部分光束をその中心軸（主光線）に対して平行な光束に変換する。青色光および緑色光用の液晶パネル４４１の光入射側に設けられたフィールドレンズ４１９も同様である。
【００５７】
ダイクロイックミラー４２１を透過した青色光と緑色光のうち、緑色光は、ダイクロイックミラー４２２によって反射し、フィールドレンズ４１９を通って、緑色光用の液晶パネル４４１に到達する。一方、青色光は、ダイクロイックミラー４２２を透過してリレー光学系４３を通り、更にフィールドレンズ４１９を通って、青色光用の液晶パネル４４１に到達する。
【００５８】
なお、青色光にリレー光学系４３が用いられているのは、青色光の光路長さが他の色光の光路長さよりも長いため、光の発散などによる光の利用効率の低下を防止するためである。すなわち、入射側レンズ４３１に入射した部分光束をそのままフィールドレンズ４１９に伝えるためである。なお、リレー光学系４３には、３つの色光のうちの青色光を通す構成としたが、これに限らず、例えば、赤色光を通す構成としてもよい。
【００５９】
光学装置４４は、入射された光束を画像信号に基づいて変調し、カラー画像を形成する。この光学装置４４は、色分離光学系４２で分離された各色光が入射される光学素子としての３つの入射側偏光板４４２（赤色光用を赤色光用入射側偏光板４４２Ｒ、緑色光用を緑色光用入射側偏光板４４２Ｇ、青色光用を青色光用入射側偏光板４４２Ｂとする）を備える。また、各入射側偏光板４４２の後段に設置される電気光学装置としての３つの液晶パネル４４１（赤色光用を赤色光用液晶パネル４４１Ｒ、緑色光用を緑色光用液晶パネル４４１Ｇ、青色光用を青色光用液晶パネル４４１Ｂとする）を備える。また、各液晶パネル４４１の後段に設置される３つの射出側偏光板４４３（赤色光用を赤色光用射出側偏光板４４３Ｒ、緑色光用を緑色光用射出側偏光板４４３Ｇ、青色光用を青色光用射出側偏光板４４３Ｂとする）と１つの色合成光学系としてのクロスダイクロイックプリズム４４５とを備える。
【００６０】
本実施形態での光学装置４４は、各色光の光路上で、入射側偏光板４４２と液晶パネル４４１との間に位相差板４４４を備え、入射側偏光板４４２から射出される偏光光束を補正している。ここで、赤色光用の位相差板４４４を位相差板４４４Ｒ、緑色光用の位相差板４４４を位相差板４４４Ｇ、青色光用の位相差板４４４を位相差板４４４Ｂとする。
【００６１】
液晶パネル４４１（４４１Ｒ，４４１Ｇ，４４１Ｂ）は、例えば、ポリシリコンＴＦＴ（Thin Film Transistor）をスイッチング素子として用いたものであり、対向配置される一対の透明基板内に液晶が密封封入されている。この液晶パネル４４１は、入射側偏光板４４２を介して入射する光束を画像信号に基づいて変調して射出する。
【００６２】
入射側偏光板４４２は、色分離光学系４２で分離された各色光のうち、一定方向の偏光光のみ透過させ、その他の光束を吸収するものである。また、射出側偏光板４４３も、入射側偏光板４４２と略同様に構成され、液晶パネル４４１から射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００６３】
クロスダイクロイックプリズム４４５は、射出側偏光板４４３から射出され、色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム４４５によって合成された色光は、投写レンズ３の方向に射出される。そして、クロスダイクロイックプリズム４４５から射出された映像光はカラー画像として、投写レンズ３により拡大され、スクリーンに投写される。
【００６４】
上述した液晶パネル４４１（４４１Ｒ，４４１Ｇ，４４１Ｂ）、射出側偏光板４４３（４４３Ｒ，４４３Ｇ，４４３Ｂ）は、固定部材を介在してクロスダイクロイックプリズム４４５に固定されて光学装置４４を構成する。光学装置４４（液晶パネル４４１、射出側偏光板４４３、およびクロスダイクロイックプリズム４４５）は、前述した固定枠体４８に固定される構造となる。なお、光学装置４４が備える入射側偏光板４４２および位相差板４４４は、前述した光学部品収容部４５１側に固定される。
【００６５】
図５は、調整機構を示す概略斜視図である。図６は、調整機構の分解斜視図である。なお、図６は、説明の便宜上、緑色光用の調整機構のみを分解した斜視図として図示している。
図３〜図６を参照して、入射側偏光板４４２および位相差板４４４の調整機構としての角度調整機構８００の構成を説明する。
【００６６】
図３、図４、図５に示すように、角度調整機構８００は、色光毎に１つ備えられている。また、角度調整機構８００は、各液晶パネル４４１Ｒ，４４１Ｇ，４４１Ｂの光束入射側に各々備えられている。
【００６７】
図５、図６に示すように、本実施形態での角度調整機構８００は、入射側偏光板４４２（４４２Ｒ，４４２Ｇ，４４２Ｂ）の偏光軸角度を各々微調整する機構と、位相差板４４４（４４４Ｒ，４４４Ｇ，４４４Ｂ）の光軸角度を各々微調整する機構との２つの光学素子の角度を調整する機構を備えている。
【００６８】
角度調整機構８００は、ベース枠体８１０と、収容枠体としての第１枠体８２０および第２枠体８３０とを有している。第１枠体８２０は、入射側偏光板４４２Ｒ，４４２Ｇ，４４２Ｂが取り付けられ、第２枠体８３０は、位相差板４４４Ｒ，４４４Ｇ，４４４Ｂが取り付けられる。なお、角度調整機構８００の大略の構成として、ベース枠体８１０を基準として、ベース枠体８１０の光束入射側（フィールドレンズ４１９側）に入射側偏光板４４２を取り付けた第１枠体８２０を後述する軸支部で軸支し、ベース枠体８１０の光束射出側（液晶パネル４４１側）に位相差板４４４を取り付けた第２枠体８３０を同様に軸支部で軸支する構成としている。また、第１枠体８２０と第２枠体８３０は、ほとんど同様の形状に形成されている。
【００６９】
角度調整機構８００は、ベース枠体８１０に設置される軸支部としての突起部８１４（第１突起部８１４Ａ、第２突起部８１４Ｂ）、第１枠体８２０と第２枠体８３０とに設置される軸支部としての第１孔部８２４、第２孔部８３４とを有している。角度調整機構８００は、この軸支部により、ベース枠体８１０に対して第１枠体８２０と第２枠体８３０とを軸支する。
【００７０】
また、角度調整機構８００は、第１枠体８２０と第２枠体８３０とに設置される受部としての第１受部８２６と第２受部８３６とを有している。この第１受部８２６と第２受部８３６は調整部を構成している。第１受部８２６と第２受部８３６は、角度調整時に、角度調整用の治具（図示省略）の力が伝達されて動作し、ベース枠体８１０に対し、第１枠体８２０と第２枠体８３０の回動角度を調整する。
【００７１】
第１受部８２６が動作し、第１枠体８２０の回動角度（取り付け角度）を調整することにより、第１枠体８２０に取り付けられる入射側偏光板４４２Ｒ，４４２Ｇ，４４２Ｂの偏光軸方向を調整する。また、第２受部８３６が動作し、第２枠体８３０の回動角度（取り付け角度）を調整することにより、第２枠体８３０に取り付けられる位相差板４４４Ｒ，４４４Ｇ，４４４Ｂの光軸方向を調整する。
【００７２】
ここで、第１枠体８２０や第２枠体８３０の回動角度を調整することは、第１枠体８２０に取り付けられている入射側偏光板４４２や第２枠体８３０に取り付けられている位相差板４４４の取り付け角度を調整することと同じである。以降の説明において、回動角度を調整することを、適宜、角度調整という。また、角度調整を行なうことは、第１枠体８２０や第２枠体８３０に取り付けられている入射側偏光板４４２や位相差板４４４の偏光軸方向や光軸方向を調整することを意味するものとする。
【００７３】
角度調整機構８００は、抑制補助部材８４０と、抑制部材としての抑制ネジ８５０とを有している。この抑制補助部材８４０と抑制ネジ８５０は回動抑制部を構成している。抑制補助部材８４０は、ベース枠体８１０に固定され、抑制ネジ８５０により、収容枠体（第１枠体８２０、第２枠体８３０）をベース枠体８１０に固定する。これにより、収容枠体（第１枠体８２０、第２枠体８３０）がベース枠体８１０に対して回動することを抑制する。
【００７４】
また、角度調整機構８００は、保持部材としての保持ばね８６０を有している。保持ばね８６０は、ベース枠体８１０に収容枠体（第１枠体８２０、第２枠体８３０）を各々挟持して保持することで、ベース枠体８１０と収容枠体（第１枠体８２０、第２枠体８３０）とが離間しないように固定する。
【００７５】
本実施形態の角度調整機構８００は、緑色光に対しては、緑色光用入射側偏光板４４２Ｇが取り付けられた第１枠体８２０と、緑色光用の位相差板４４４Ｇが取り付けられた第２枠体８３０の角度調整を行なう。青色光に対しては、緑色光と同様に、青色光用入射側偏光板４４２Ｂが取り付けられた第１枠体８２０と、青色光用の位相差板４４４Ｂが取り付けられた第２枠体８３０の角度調整を行なう。赤色光に対しても上述したと同様となる。このように、角度調整機構８００は、各液晶パネル４４１Ｒ，４４１Ｇ，４４１Ｂの光束入射側に各々１つずつ備えられる。また、角度調整機構８００は、ベース枠体８１０が光学用筐体４５の上収容筐体４５Ａに固定される。
【００７６】
上述したように、各色光に対応して設置される各角度調整機構８００は同様に構成されている。従って、以降では、緑色光用液晶パネル４４１Ｇの光束入射側に取り付けられる角度調整機構８００を中心に、角度調整機構８００の詳細な構成と組み立て方法および動作を説明する。なお、以降に記載する「上」、「下」、「左」、「右」は、緑色光用に設置される角度調整機構８００を光束射出側から見た（液晶パネル４４１Ｇ側から見た）場合の「上」、「下」、「左」、「右」を意味するものとする。
【００７７】
ベース枠体８１０は、金属製の板材により形成されている。ベース枠体８１０は、図６に示すように、略矩形状で、照明光軸Ｌに略垂直となるように配設されるベース枠本体８１１を有している。ベース枠本体８１１の中央部には、略矩形状の開口部８１２を有している。また、開口部８１２は、ベース枠本体８１１の下端部を切り欠いた形態で開口している。ベース枠体８１０は、ベース枠本体８１１の上端部中央から光束入射側に略垂直に折り曲げて延出するベース枠固定部８１３を有している。このベース枠固定部８１３には、ベース枠体８１０自体を、後述する上収容筐体４５Ａのベース枠体受部４５３に固定するための、孔部８１３Ａ，８１３Ｂ，８１３Ｃが形成されている。
【００７８】
また、ベース枠体８１０は、ベース枠本体８１１の上端部の右側コーナ部分で、照明光軸Ｌに略平行に設定される回動軸Ｋ１を有し、回動軸Ｋ１を中心として形成される軸支部としての突起部８１４（第１突起部８１４Ａ）を有している。第１突起部８１４Ａは、円筒状に形成され、光束入射側に突出している。この第１突起部８１４Ａは、例えば、バーリング加工により形成される。また、第１突起部８１４Ａの更に右側コーナ部分には、後述する抑制部材としての抑制ネジ８５０と螺合させるための螺合部としてのネジ孔８１５（第１ネジ孔８１５Ａ）を有している。第１ネジ孔８１５Ａは、円筒状に形成され、光束入射側に若干突出している。この第１ネジ孔８１５Ａは、例えば、バーリング加工に加えて、抑制ネジ８５０のネジピッチに合わせてネジ孔加工を施して形成される。
【００７９】
また、ベース枠体８１０は、ベース枠本体８１１の左端部の上部に、保持部材としての保持ばね８６０を係止するための、係止部８１６（８１６Ａ）を有している。係止部８１６Ａは、例えば、切り起し加工で形成され、光束射出側に切り起されて、断面略三角形状に突出している。また、同様に、ベース枠体８１０は、ベース枠本体８１１の下端部の右側に、同じく保持部材としての保持ばね８６０を係止するための、係止部８１６（８１６Ｂ）を有している。この係止部８１６Ｂも係止部８１６Ａと同様に形成されている。
【００８０】
上述した、第１突起部８１４Ａ、第１ネジ孔８１５Ａ、および係止部８１６Ａ，８１６Ｂは、第１枠体８２０を軸支し、保持するために使用される構成部である。なお、ベース枠体８１０には、第２枠体８３０を軸支し、保持するために使用される構成部が、同様に、形成されている。詳細には、ベース枠本体８１１を左右に２分する中心軸（図示省略）を中心にして、第１突起部８１４Ａ、第１ネジ孔８１５Ａ、および係止部８１６Ａ，８１６Ｂを略１８０度回転した状態で形成されている。
【００８１】
このように構成される突起部、ネジ孔、および係止部を、各々、第２突起部８１４Ｂ、第２ネジ孔８１５Ｂ、および係止部８１６Ｃ，８１６Ｄとする。従って、第２突起部８１４Ｂ、第２ネジ孔８１５Ｂ、および係止部８１６Ｃ，８１６Ｄは、上記中心軸（図示省略）を基準として、第１突起部８１４Ａ、第１ネジ孔８１５Ａ、および係止部８１６Ａ，８１６Ｂと対称の部位に形成されている。なお、第２突起部８１４Ｂは、ベース枠体８１０が有する照明光軸Ｌに略平行に設定される回動軸Ｋ２を中心として、光束射出側に突出して形成されている。第２ネジ孔８１５Ｂも、光束射出側に突出している。また、係止部８１６Ｃ，８１６Ｄは、光束入射側に切り起されている。このように形成された第２突起部８１４Ｂ、第２ネジ孔８１５Ｂ、および係止部８１６Ｃ，８１６Ｄが、第２枠体８３０を軸支し、保持するために使用される構成部である。また、上述したように設定される回動軸Ｋ１，Ｋ２は、言い換えると、照明光軸Ｌを通る垂直（Ｚ軸方向）平面に対して略対称に設定されている。
【００８２】
第１枠体８２０は、金属製の板材により形成されている。第１枠体８２０は、図６に示すように、略矩形状で、照明光軸Ｌに略垂直となるように配設される第１枠本体８２１を有している。第１枠本体８２１の中央部には、第１枠本体８２１と所定の段差を光束入射側に有した領域に略矩形状の開口部８２２を有している。開口部８２２周辺の第１枠本体８２１の右側の縁辺には、その略全長にわたって起立部８２１Ａが形成され、下側の縁辺には、起立部８２１Ｂが形成されている。なお、入射側偏光板４４２Ｇが貼着された透明なガラス基板８８０が、起立部８２１Ａ，８２１Ｂを基準として開口部８２２周縁に、光束射出側から取り付けられる。
【００８３】
また、第１枠本体８２１の起立部８２１Ｂの右側には、第１枠本体８２１と段差がなく、下方向に延設される保持片８２３が形成されている。第１枠本体８２１の上端部右側コーナ部分に、軸支部としての第１孔部８２４を有している。第１孔部８２４は、ベース枠体８１０の軸支部としての第１突起部８１４Ａの外周面に嵌合する孔径で形成されている。また、第１孔部８２４の更に右側コーナ部分には、ベース枠体８１０の螺合部としての第１ネジ孔８１５Ａの円筒状の外周面を遊嵌する遊嵌部８２５が形成されている。なお、遊嵌部８２５は、回動軸Ｋ１を略中心として長孔状に形成される。
【００８４】
また、第１枠本体８２１の上端部左側から上方に延設され、端部が光束入射側に略垂直に折り曲げられた受部としての第１受部８２６を有している。第１受部８２６は調整部を構成している。また、この第１受部８２６を構成するために延設された領域には、略矩形状の逃げ孔８２７が形成されている。逃げ孔８２７は、第２枠体８３０の抑制部材としての抑制ネジ８５０をベース枠体８１０の第２ネジ孔８１５Ｂに螺合した場合のベース枠本体８１１の光束入射側の面から飛び出すネジ部との干渉を逃げるための部分である。
【００８５】
第２枠体８３０も第１枠体８２０と略同様に形成されている。第２枠体８３０の大略の構成は、第１枠体８２０を左右に２分する中心軸（図示省略）を中心にして、第１枠体８２０を略１８０度回転した状態で形成されている。詳細には、第２枠体８３０は金属製の板材により形成されている。第２枠体８３０は、図６に示すように、略矩形状で、照明光軸Ｌに略垂直となるように配設される第２枠本体８３１を有している。第２枠本体８３１の中央部には、略矩形状の開口部８３２を有している。開口部８３２周辺の第２枠本体８３１の左右側の縁辺には、その略全長にわたって起立部８３１Ａが形成され、下側の中央縁辺には、起立部８３１Ｂが形成されている。なお、位相差板４４４Ｇが貼着された透明なガラス基板８９０が、起立部８３１Ａ，８３１Ｂを基準として開口部８３２周縁に、光束射出側から取り付けられる。
【００８６】
また、第２枠本体８３１の起立部８３１Ｂの左側には、下方向に延設される保持片８３３が形成されている。第２枠本体８３１の上端部左側コーナ部分に、軸支部としての第２孔部８３４を有している。第２孔部８３４は、ベース枠体８１０の軸支部としての第２突起部８１４Ｂの外周面に嵌合する孔径で形成されている。また、第２孔部８３４の更に左側コーナ部分には、ベース枠体８１０の螺合部としての第２ネジ孔８１５Ｂの円筒状の外周面を遊嵌する遊嵌部８３５が形成されている。なお、遊嵌部８３５は、回動軸Ｋ２を略中心として長孔状に形成される。
【００８７】
また、第２枠本体８３１の上端部右側から上方に延設され、端部が光束射出側に略垂直に折り曲げられた受部としての第２受部８３６を有している。第２受部８３６は調整部を構成している。また、この第２受部８３６を構成するために延設された領域には、略矩形状の逃げ孔８３７が形成されている。逃げ孔８３７は、第１枠体８２０の抑制部材としての抑制ネジ８５０をベース枠体８１０の第１ネジ孔８１５Ａに螺合した場合のベース枠本体８１１の光束射出側の面から飛び出すネジ部との干渉を逃げるための部分である。
【００８８】
抑制補助部材８４０は、金属製の板材により形成されている。抑制補助部材８４０は、略矩形状で、照明光軸Ｌに略垂直となるように配設される補助部としての押圧部８４１を有している。押圧部８４１の中央部には、抑制部材としての抑制ネジ８５０を案内する抑制部材案内部としての抑制ネジ案内孔８４２が形成されている。この抑制ネジ案内孔８４２は、抑制補助部材８４０の固定部を構成している。
【００８９】
また、矩形状をなす１つのコーナ部から、対角方向となる外部に向け、所定の幅で押圧部８４１に略垂直となるように曲折して延出する抑制補助部材案内部としての案内片８４３が形成されている。案内片８４３は、上述した抑制ネジ案内孔８４２とともに抑制補助部材８４０の固定部を構成している。抑制補助部材８４０は、案内片８４３を、第１突起部８１４Ａ、第２突起部８１４Ｂの内周面に係合させて抑制補助部材８４０を案内する。従って、案内片８４３の所定の幅は、第１突起部８１４Ａ、第２突起部８１４Ｂの略内径となる。
【００９０】
なお、抑制補助部材８４０および抑制ネジ８５０は、第１枠体８２０をベース枠体８１０に固定するために各々１つずつ使用する。また、同様に、第２枠体８３０をベース枠体８１０に固定するために各々１つずつ使用する。
【００９１】
そして、収容枠体（第１枠体８２０、第２枠体８３０）の角度調整を行なった後、案内片８４３をベース枠体８１０の突起部８１４の内周面に挿入し、抑制部材としての抑制ネジ８５０のネジ部を抑制ネジ案内孔８４２に挿通して、抑制ネジ８５０をベース枠体８１０のネジ孔８１５と螺合することで、収容枠体をベース枠体８１０に押圧して収容枠体の回動を抑制する。
【００９２】
保持部材は、ばね部材としての保持ばね８６０で構成される。保持ばね８６０は、金属製の板材により形成される。そして、保持ばね８６０は、断面略コ字形状に折り曲げられた形状を有している。また、ベース枠体８１０の係止部８１６の切り起されて突出した部分に係合する孔部８６１が片側の面に形成されている。なお、保持ばね８６０は、本実施形態では、第１枠体８２０をベース枠体８１０に挟持して保持するために２つ使用する。また、同様に、第２枠体８３０をベース枠体８１０に挟持して保持するために２つ使用する。
【００９３】
ベース枠体受部４５３は、上収容筐体４５Ａに構成されている。そして、ベース枠体受部４５３は、液晶パネル４４１Ｇの前段となる位置で、照明光軸Ｌの上方に位置する上収容筐体４５Ａの縁辺で、上方向に突出して形成されている。ベース枠体受部４５３の上面４５３Ａには、角度調整機構８００（ベース枠体８１０）をネジ固定するための固定孔４５４が形成されている。また、固定孔４５４の両側には、角度調整機構８００（ベース枠体８１０）を固定する際の位置決め用の案内突起４５５，４５６が形成されている。なお、固定ネジ８７０を固定孔４５４に螺合させて固定することで、角度調整機構８００が上収容筐体４５Ａに固定される。
【００９４】
図７は、第１枠体をベース枠体に組んだ状態を示す斜視図である。図８は、図７におけるＡ−Ａ位置で切断した状態を示す斜視図である。図９は、第１枠体をベース枠体に組んだ後に第２枠体をベース枠体に組んだ状態を示す斜視図である。図１０は、図９におけるＢ−Ｂ位置で切断した状態を示す斜視図である。図１１は、角度調整機構の照明光軸に沿った横断面図である。なお、図７、図８は、光束入射側から見た斜視図である。図９、図１０は、光束射出側から見た斜視図である。また、図８、図１０は、軸支部および回動抑制部を切断した図である。図１１は、第１枠体８２０の軸支部および回動抑制部の断面を含んでいる。
図６に示す分解斜視図を基にして、図７〜図１１を参照し、角度調整機構８００の組み立て方を説明する。
【００９５】
角度調整機構８００の組み立て方の大略は、最初に、ベース枠体８１０に第１枠体８２０を取り付け、その後、ベース枠体８１０に第２枠体８３０を取り付け、最後に、第１枠体８２０と第２枠体８３０とを取り付けたベース枠体８１０を、上収容筐体４５Ａに形成したベース枠体受部４５３に取り付けることで行なわれる。
【００９６】
最初に、ベース枠体８１０への第１枠体８２０の取り付けを行なう。
これに先立ち、最初に、図７、図８、図１１に示すように、第１枠体８２０に対して、入射側偏光板４４２Ｇが貼着されたガラス基板８８０を、起立部８２１Ａ，８２１Ｂを基準にして、光束射出側から開口部８２２周縁に取り付ける。ガラス基板８８０は、熱伝導性の両面テープ、接着剤などで第１枠本体８２１に固定される。
【００９７】
次に、図８に示すように、第１枠体８２０をベース枠体８１０に固定する。詳細には、第１枠体８２０の第１孔部８２４にベース枠体８１０の第１突起部８１４Ａを挿通させて嵌合し、第１枠本体８２１の光束射出側の面をベース枠本体８１１の光束入射側の面に重ねる。これにより、ベース枠体８１０は、第１枠体８２０を回動軸Ｋ１を中心として軸支する。
【００９８】
次に、保持ばね８６０を使用して、第１枠体８２０とベース枠体８１０とを挟持して固定する。詳細には、第１枠体８２０とベース枠体８１０とを上述したように重ねた後、ベース枠体８１０の係止部８１６Ａ，８１６Ｂに対応する第１枠体８２０とベース枠体８１０との端部から挟むように保持ばね８６０をスライドさせる。そして、保持ばね８６０の孔部８６１を、係止部８１６Ａ，８１６Ｂの切り起し部分に係止させる。その際、図８、図１１に示すように、第１枠体８２０の遊嵌部８２５に、ベース枠体８１０の突起状に形成される第１ネジ孔８１５Ａを挿通させた状態にする。
【００９９】
ベース枠体８１０に第１枠体８２０を取り付けた場合、図１１に示すように、入射側偏光板４４２Ｇの光束射出側の面は、第１枠本体８２１の光束射出側の面より低くなるように設定されているため、入射側偏光板４４２Ｇの光束射出側の面は、ベース枠本体８１１の光束入射側の面とは離間しており、接触していない。
【０１００】
次に、回動抑制部（抑制補助部材８４０と抑制部材）を使用して、ベース枠体８１０に対する第１枠体８２０の動作を抑制する。詳細には、第１枠体８２０とベース枠体８１０とを上述したように重ねた後、図８、図１１に示すように、ベース枠体８１０の第１突起部８１４Ａの内周面に沿って抑制補助部材８４０の案内片８４３を挿入して係合する。
【０１０１】
次に、ベース枠体８１０の第１ネジ孔８１５Ａを挿通させた第１枠体８２０の遊嵌部８２５に、抑制補助部材８４０の抑制ネジ案内孔８４２が位置するように、抑制補助部材８４０の位置を合わせる。そして、抑制ネジ８５０を抑制ネジ案内孔８４２に相通して、ベース枠体８１０の第１ネジ孔８１５Ａに螺合（ネジ締め）させる。なお、この時点では、抑制ネジ８５０は、最後までネジ締めしない状態として螺合させる。
以上で、ベース枠体８１０への第１枠体８２０の取り付けが終了する。なお、図７が、ベース枠体８１０に第１枠体８２０を取り付けた状態を示している。
【０１０２】
次に、ベース枠体８１０への第２枠体８３０の取り付けを行なう。
これに先立ち、最初に、図９〜図１１に示すように、第２枠体８３０に対して、位相差板４４４Ｇが貼着されたガラス基板８９０を、起立部８３１Ａ，８３１Ｂを基準にして、光束射出側から開口部８３２周縁に取り付ける。ガラス基板８９０は、熱伝導性の両面テープ、接着剤などで第２枠本体８３１に固定される。
【０１０３】
次に、図９、図１０に示すように、第２枠体８３０をベース枠体８１０に固定する。なお、この固定は、上述した第１枠体８２０をベース枠体８１０に固定するのと同様に行なわれる。詳細には、第２枠体８３０の第２孔部８３４にベース枠体８１０の第２突起部８１４Ｂを挿通させて嵌合し、第２枠本体８３１の光束入射側の面をベース枠本体８１１の光束射出側の面に重ねる。これにより、ベース枠体８１０は、第２枠体８３０を回動軸Ｋ２を中心として軸支する。
【０１０４】
次に、保持ばね８６０を使用して、第２枠体８３０とベース枠体８１０とを挟持して固定する。詳細には、第２枠体８３０とベース枠体８１０とを上述したように重ねた後、ベース枠体８１０の係止部８１６Ｃ，８１６Ｄに対応する第２枠体８３０とベース枠体８１０との端部から挟むように保持ばね８６０をスライドさせる。そして、保持ばね８６０の孔部８６１を、係止部８１６Ｃ，８１６Ｄの切り起し部分に係止させる。その際、図１０に示すように、第２枠体８３０の遊嵌部８３５に、ベース枠体８１０の突起状に形成される第２ネジ孔８１５Ｂを挿通させた状態にする。
【０１０５】
次に、回動抑制部（抑制補助部材８４０と抑制部材）を使用して、ベース枠体８１０に対する第２枠体８３０の動作を抑制する。詳細には、第２枠体８３０とベース枠体８１０とを上述したように重ねた後、図９、図１０に示すように、ベース枠体８１０の第２突起部８１４Ｂの内周面に沿って抑制補助部材８４０の案内片８４３を挿入して係合する。
【０１０６】
次に、ベース枠体８１０の第２ネジ孔８１５Ｂを挿通させた第２枠体８３０の遊嵌部８３５に、抑制補助部材８４０の抑制ネジ案内孔８４２が位置するように、抑制補助部材８４０の位置を合わせる。そして、抑制ネジ８５０を抑制ネジ案内孔８４２に相通して、ベース枠体８１０の第２ネジ孔８１５Ｂに螺合（ネジ締め）させる。なお、この時点では、抑制ネジ８５０は、最後までネジ締めしない状態として螺合させる。
以上で、ベース枠体８１０への第２枠体８３０の取り付けが終了する。なお、図９が、ベース枠体８１０に第２枠体８３０を取り付けた状態を示している。
【０１０７】
以上により、図９に示すように、ベース枠体８１０に第１枠体８２０と第２枠体８３０が組み立てられて固定され、角度調整機構８００が完成する。なお、この状態で、ベース枠体８１０の第１ネジ孔８１５Ａに螺合した抑制ネジ８５０のネジ部先端は、図９〜図１１に示すように、ベース枠本体８１１の光束射出側に突出し、第２枠体８３０の逃げ孔８３７に位置している。また同様に、ベース枠体８１０の第２ネジ孔８１５Ｂに螺合した抑制ネジ８５０のネジ部先端は、図１０に示すように、ベース枠本体８１１の光束入射側に突出し、第１枠体８２０の逃げ孔８２７に位置している。
【０１０８】
次に、組み立てられた角度調整機構８００をベース枠体受部４５３に取り付ける。
詳細には、第１枠体８２０と第２枠体８３０とが固定されたベース枠体８１０のベース枠固定部８１３をベース枠体受部４５３に設置する。更に詳細には、ベース枠体８１０のベース枠固定部８１３に形成される孔部８１３Ｂを、図６に示すように、ベース枠体受部４５３に形成される案内突起４５５に嵌合し、併せて、ベース枠固定部８１３の孔部８１３Ｃを、ベース枠体受部４５３の案内突起４５６に嵌合することで、位置決めする。これにより、ベース枠体８１０のベース枠固定部８１３を、ベース枠体受部４５３の上面４５３Ａに載置する。その後、固定ネジ８７０により、ベース枠固定部８１３の孔部８１３Ａを相通してベース枠体受部４５３の固定孔４５４に螺合させる。
以上で、ベース枠体受部４５３への角度調整機構８００の取り付けが終了する。
【０１０９】
なお、上記では、緑色光用の角度調整機構８００の構成および組み立てに関して説明したが、赤色光用および青色光用の角度調整機構８００も同様となる。また、色光毎に組み立てた角度調整機構８００を、色光毎に備えるベース枠体受部４５３に固定した状態が、図５に示す図となる。
【０１１０】
図１２、図１３は、角度調整機構の調整動作を示す平面図である。詳細には、図１２は、第１枠体８２０の角度調整動作を示す平面図であり、図１３は、第２枠体８３０の角度調整動作を示す平面図である。なお、図１２は、説明の便宜上、第１枠体８２０の角度調整動作に係る構成を図示しており、第２枠体８３０の角度調整動作に係る構成の図示は省略している。また、図１３は、図１２と同様に、第２枠体８３０の角度調整動作に係る構成を図示しており、第１枠体８２０の角度調整動作に係る構成の図示は省略している。また、図１２は、光束入射側から見た平面図を表している。図１３は、光束射出側から見た平面図を表している。
図１２、図１３を参照して、第１枠体８２０、第２枠体８３０の角度調整動作に関して説明する。
【０１１１】
最初に、図１２を参照して、第１枠体８２０の角度調整動作を説明する。また、説明の便宜上、第１枠体８２０の初期的な位置は、第１枠体８２０の第１受部８２６の上面が水平方向となる位置（図１２に、２点鎖線で示す位置）とする。また、そのときの入射側偏光板４４２Ｇの偏光軸および偏光軸の方向は、図１２に示す偏光軸Ａとして示すこととする。なお、この第１枠体８２０の状態は、図７に図示する状態と略同様である。なお、ベース枠体８１０は、ベース枠体受部４５３に固定された状態とする。また、角度調整は、前述したように、図示省略する角度調整用の治具を使用して行なう。
【０１１２】
最初に、角度調整用の治具から延びるアーム部（図示省略）を、２点鎖線で示す第１受部８２６に係合させる。その後、アーム部により、２点鎖線で示す第１受部８２６に、例えば、下方向に力Ｆを加えることにより、実線で示す第１受部８２６まで移動させる（押し下げる）。２点鎖線で示す第１受部８２６に、力Ｆを受けた（伝達された）場合、第１枠体８２０は、ベース枠体８１０の第１突起部８１４Ａに軸支されつつ、回動軸Ｋ１を中心に、図１２に示すように、光束入射側から見た場合、時計回りに回転を行なう。なお、この力Ｆによる回転で、第１枠体８２０は、時計回りに回動角度θ１まで回転することとなる。
【０１１３】
第１枠体８２０がθ１回転した場合、第１枠体８２０に収容する入射側偏光板４４２Ｇの偏光軸は、θ２回転することとなる。なお、本実施形態では、θ１とθ２とは等しくなる。θ２回転した状態の偏光軸を偏光軸Ｂとした場合、偏光軸は、偏光軸Ａの位置から偏光軸Ｂの位置に、θ２分時計回りに移動（回転）して角度調整が行なわれたこととなる。なお、図示省略するが、上方向の力Ｆを第１受部８２６に加えた場合、第１枠体８２０は、回動軸Ｋ１を中心に反時計回りに回転を行なうことで、偏光軸の角度調整を行なう。
以上のように、第１枠体８２０の回動角度を調整することにより、入射側偏光板４４２Ｇの偏光軸の角度調整が行なわれる。
【０１１４】
なお、第１枠体８２０が第１突起部８１４Ａに軸支されつつ、例えば時計回りに回転する場合、第１枠体８２０は、図１２に示すように、保持ばね８６０で２箇所挟持されているため、保持片８２３を含む第１枠本体８２１は、ベース枠本体８１１と接触しつつ回転する。
【０１１５】
第１枠体８２０が回動する回動角度範囲（角度調整範囲）θは、特に限定されるものではないが、本実施形態では、約±６度の範囲内である。従って、入射側偏光板４４２Ｇの偏光軸は、約±６度の範囲で角度調整が行なわれる。また、第１枠体８２０の遊嵌部８２５は、角度調整範囲θの回動を許容する形状の孔を有して、抑制ネジ８５０を遊嵌する。これにより、第１枠体８２０の遊嵌部８２５は、第１枠体８２０が回動しても、角度調整範囲θの範囲であれば、抑制ネジ８５０に干渉（当接）しない。また、第１枠体８２０の逃げ孔８２７は、角度調整範囲θの回動を許容する形状の孔を有している。これにより、第１枠体８２０の逃げ孔８２７は、第１枠体８２０が回動しても、角度調整範囲θの範囲であれば、第２枠体８３０の抑制部材としての抑制ネジ８５０のネジ部に干渉（当接）しない。
【０１１６】
第１枠体８２０の角度調整（入射側偏光板４４２Ｇの偏光軸の角度調整）を行なった後、抑制ネジ８５０をベース枠体８１０の第１ネジ孔８１５Ａに最後まで螺合する。この際、第１枠体８２０と抑制ネジ８５０との間には、抑制補助部材８４０が介在されており、この抑制補助部材８４０は、案内片８４３を第１突起部８１４Ａの内面に係合し、抑制ネジ案内孔８４２に抑制ネジ８５０を挿通させ、抑制ネジ８５０はベース枠体８１０の第１ネジ孔８１５Ａに螺合している。この構造により、抑制補助部材８４０はベース枠体８１０に固定される。
【０１１７】
この構造により、第１枠体８２０の角度調整（入射側偏光板４４２Ｇの偏光軸の角度調整）を行なった後、抑制ネジ８５０をベース枠体８１０の第１ネジ孔８１５Ａに最後まで螺合させた場合に、抑制ネジ８５０のネジ締めによる力（モーメント）が、第１枠体８２０を回転させる力として伝達されることはない。詳細には、抑制ネジ８５０のネジ締めにより、抑制補助部材８４０の押圧部８４１が、第１枠本体８２１を押圧して第１枠本体８２１をベース枠本体８１１に固定することになる。これにより、入射側偏光板４４２Ｇの偏光軸の角度調整を行なった第１枠体８２０は、その調整した角度を維持した状態で、ベース枠体８１０に固定される。
【０１１８】
次に、図１３を参照して、第２枠体８３０の角度調整動作を説明する。なお、第２枠体８３０の角度調整動作は、上述した第１枠体８２０の角度調整動作と同様となる。以降に詳細を説明する。
【０１１９】
ここで、説明の便宜上、第２枠体８３０の初期的な位置は、第２枠体８３０の第２受部８３６の上面が水平方向となる位置（図１３に、２点鎖線で示す位置）とする。また、そのときの位相差板４４４Ｇの光軸および光軸の方向は、図１３に示す光軸Ａとして示すこととする。なお、この第２枠体８３０の状態は、図９に図示する状態と略同様である。なお、ベース枠体８１０は、ベース枠体受部４５３に固定された状態とする。また、角度調整は、前述したように、図示省略する角度調整用の治具を使用して行なう。
【０１２０】
最初に、角度調整用の治具から延びるアーム部（図示省略）を、２点鎖線で示す第２受部８３６に係合させる。その後、アーム部により、２点鎖線で示す第２受部８３６に、例えば、上方向に力Ｆを加えることにより、実線で示す第２受部８３６まで移動させる（持ち上げる）。２点鎖線で示す第２受部８３６に、力Ｆを受けた（伝達された）場合、第２枠体８３０は、ベース枠体８１０の第２突起部８１４Ｂに軸支されつつ、回動軸Ｋ２を中心に、図１３に示すように、光束射出側から見た場合、反時計回りに回転を行なう。なお、この力Ｆによる回転で、第２枠体８３０は、反時計回りに回動角度θ１まで回転することとなる。
【０１２１】
第２枠体８３０がθ１回転した場合、第２枠体８３０に収容する位相差板４４４Ｇの光軸は、θ２回転することとなる。なお、本実施形態では、θ１とθ２とは等しくなる。θ２回転した状態の光軸を光軸Ｂとした場合、光軸は、光軸Ａの位置から光軸Ｂの位置に、θ２分反時計回りに移動（回転）して角度調整が行なわれたこととなる。なお、図示省略するが、下方向の力Ｆを第２受部８３６に加えた場合、第２枠体８３０は、回動軸Ｋ２を中心に時計回りに回転を行なうことで、光軸の角度調整を行なう。
以上のように、第２枠体８３０の回動角度を調整することにより、位相差板４４４Ｇの光軸の角度調整が行なわれる。
【０１２２】
なお、第２枠体８３０が第２突起部８１４Ｂに軸支されつつ、例えば反時計回りに回転する場合、第２枠体８３０は、図１３に示すように、保持ばね８６０で２箇所挟持されているため、保持片８３３を含む第２枠本体８３１は、ベース枠本体８１１と接触しつつ回転する。
【０１２３】
第２枠体８３０が回動する回動角度範囲（角度調整範囲）θは、特に限定されるものではないが、本実施形態では、第１枠体８２０と同様に、約±６度の範囲内である。従って、位相差板４４４Ｇの光軸は、約±６度の範囲で角度調整が行なわれる。また、第２枠体８３０の遊嵌部８３５は、角度調整範囲θの回動を許容する形状の孔を有して、抑制ネジ８５０を遊嵌する。これにより、第２枠体８３０の遊嵌部８３５は、第２枠体８３０が回動しても、角度調整範囲θの範囲であれば、抑制ネジ８５０に干渉（当接）しない。また、第２枠体８３０の逃げ孔８３７は、角度調整範囲θの回動を許容する形状の孔を有している。これにより、第２枠体８３０の逃げ孔８３７は、第２枠体８３０が回動しても、角度調整範囲θの範囲であれば、第１枠体８２０の抑制部材としての抑制ネジ８５０のネジ部に干渉（当接）しない。
【０１２４】
第２枠体８３０の角度調整（位相差板４４４Ｇの光軸の角度調整）を行なった後、抑制ネジ８５０をベース枠体８１０の第２ネジ孔８１５Ｂに最後まで螺合する。この際、第２枠体８３０と抑制ネジ８５０との間には、抑制補助部材８４０が介在されており、この抑制補助部材８４０は、案内片８４３を第２突起部８１４Ｂの内面に係合し、抑制ネジ案内孔８４２に抑制ネジ８５０を挿通させ、抑制ネジ８５０はベース枠体８１０の第２ネジ孔８１５Ｂに螺合している。この構造により、抑制補助部材８４０はベース枠体８１０に固定される。
【０１２５】
この構造により、第２枠体８３０の角度調整（位相差板４４４Ｇの光軸の角度調整）を行なった後、抑制ネジ８５０をベース枠体８１０の第２ネジ孔８１５Ｂに最後まで螺合させた場合に、抑制ネジ８５０のネジ締めによる力（モーメント）が、第２枠体８３０を回転させる力として伝達されることはない。詳細には、抑制ネジ８５０のネジ締めにより、抑制補助部材８４０の押圧部８４１が、第２枠本体８３１を押圧して第２枠本体８３１をベース枠本体８１１に固定することになる。これにより、位相差板４４４Ｇの光軸の角度調整を行なった第２枠体８３０は、その調整した角度を維持した状態で、ベース枠体８１０に固定される。
【０１２６】
上述した角度調整機構８００の調整により、第１枠体８２０における入射側偏光板４４２Ｇの偏光軸の角度調整、および第２枠体８３０における位相差板４４４Ｇの光軸の角度調整が行なわれる。なお、以上の説明は、緑色光用の調整機構の調整方法に関して説明を行なったが、赤色光用および青色光用の調整機構の調整方法も同様となる。
【０１２７】
上述した、実施形態によれば以下の効果が得られる。
（１）本実施形態の角度調整機構８００は、第１枠体８２０の第１受部８２６（調整部としての受部）により、調整時の力が伝達される。そして、ベース枠体８１０の第１突起部８１４Ａ（軸支部としての突起部８１４）に軸支され、回動軸Ｋ１を中心として、ベース枠体８１０に対して、第１枠体８２０を回動させる。このように、ベース枠体８１０に対して第１枠体８２０を回動させることにより、第１枠体８２０に収容する入射側偏光板４４２を回動させることで、入射側偏光板４４２の角度調整を行なうことができる。これは、第２枠体８３０に関しても同様となる。このように、入射側偏光板４４２、位相差板４４４の角度調整を行なう際には、第１受部８２６、第２受部８３６を用いて、上下方向に移動させるといった簡単な動作によって角度調整が適切に行なえる。また、本実施形態では、従来用いられたネジを使用して角度調整を行なっていない。従って、入射側偏光板４４２、位相差板４４４の角度調整を行なう際には、バックラッシュなどの影響をなくすことができるため、従来に比べて、角度調整を簡易に精度良く行なうことができる。
【０１２８】
また、抑制補助部材８４０は、抑制補助部材案内部（固定部）としての案内片８４３、および抑制部材案内部（固定部）としての抑制ネジ案内孔８４２により、ベース枠体８１０に固定される。また、抑制ネジ８５０（抑制部材）は、ベース枠体８１０に固定された抑制補助部材８４０の押圧部８４１（補助部）を介して、第１枠体８２０（収容枠体）をベース枠体８１０に固定している。これにより、抑制ネジ８５０が、角度調整を行なった第１枠体８２０を、押圧部８４１を介してベース枠体８１０に固定する際、抑制補助部材８４０がベース枠体８１０に固定されて抑制補助部材８４０の移動が抑制されているため、抑制ネジ８５０の動作による影響（例えば、従来の回転モーメントの影響やバックラッシュの影響）を第１枠体８２０に伝達することを低減させることができる。これは、第２枠体８３０においても同様となる。
【０１２９】
このような回動抑制部（抑制補助部材８４０、抑制部材）により、角度調整終了後の第１枠体８２０、第２枠体８３０をベース枠体８１０に確実に固定して回動を抑制することができるため、角度調整機構８００により、バックラッシュの影響や回転モーメントの影響を低減して入射側偏光板４４２、位相差板４４４の角度調整が行なえ、調整後の角度のずれも低減できる。
【０１３０】
（２）本実施形態の角度調整機構８００は、ベース枠体８１０に形成される突出する第１突起部８１４Ａ、第２突起部８１４Ｂ（軸支部としての突起部８１４）を有することにより、第１枠体８２０、第２枠体８３０（収容枠体）に形成される第１孔部８２４、第２孔部８３４（軸支部としての孔部）に、突起部８１４を嵌合し、回動軸Ｋ１，Ｋ２を中心として軸支する。従って、このような簡易な構成で、ベース枠体８１０に対して第１枠体８２０、第２枠体８３０を確実に軸支して円滑に回動させることができる。
【０１３１】
（３）本実施形態の角度調整機構８００は、第１突起部８１４Ａ、第２突起部８１４Ｂ（突起部８１４）、および、第１孔部８２４、第２孔部８３４（孔部）といった簡易な構成によって、ベース枠体８１０に、第１枠体８２０、第２枠体８３０が軸支される軸支部が実現できる。また、突起部８１４および孔部は、容易に加工できるため、加工時間を低減できる。また、突起部８１４に孔部を嵌合する構成は、他の部材を用いることなく実現できるため、部品点数や組み立て工数を低減できる。
【０１３２】
（４）本実施形態の角度調整機構８００において、抑制補助部材８４０の固定部は、抑制補助部材案内部としての案内片８４３と、抑制部材案内部としての抑制ネジ案内孔８４２とを有して構成されている。そして、案内片８４３（抑制補助部材案内部）は、突起部８１４（第１突起部８１４Ａ、第２突起部８１４Ｂ）と係合して抑制補助部材８４０自体を案内する。また、抑制ネジ案内孔８４２（抑制部材案内部）は、抑制ネジ８５０（抑制部材）を案内することで、抑制補助部材８４０を設置し、抑制ネジ８５０により抑制補助部材８４０がベース枠体８１０に固定される。この構成により、抑制補助部材８４０の固定部を、突起部８１４（第１突起部８１４Ａ、第２突起部８１４Ｂ）や抑制部材（抑制ネジ８５０）の領域に設置することができる。従って、抑制補助部材８４０の固定部は、第１枠体８２０、第２枠体８３０の回動に影響されないベース枠体８１０の領域に設置する必要がなく、抑制補助部材８４０の効率的な配置ができるため、コンパクトな角度調整機構８００を実現することができる。
【０１３３】
（５）本実施形態の角度調整機構８００は、抑制部材に抑制ネジ８５０を用いてベース枠体８１０の螺合部としてのネジ孔８１５（第１ネジ孔８１５Ａ、第２ネジ孔８１５Ｂ）と螺合するという簡易な構成と簡易な方法を用いている。この構成により、角度調整終了後の第１枠体８２０、第２枠体８３０に対して、従来のネジによる影響を低減するとともに、ベース枠体８１０に第１枠体８２０、第２枠体８３０を確実に固定することを実現している。
【０１３４】
（６）本実施形態の角度調整機構８００において、ベース枠体８１０は、照明光軸Ｌに沿った方向で、ベース枠体８１０の前側（光束入射側）および後側（光束射出側）に第１枠体８２０および第２枠体８３０を軸支している。この構成により、入射側偏光板４４２および位相差板４４４の２つの光学素子に対し、それぞれ角度調整を行なうことができる。また、コンパクトな角度調整機構８００を実現できる。
【０１３５】
（７）本実施形態の角度調整機構８００において、ベース枠体８１０は、照明光軸Ｌに沿った方向で、照明光軸Ｌを通る垂直（Ｚ軸方向）平面に対して略対称に設定されている。この構成により、ベース枠体８１０の前側および後側に軸支する第１枠体８２０、第２枠体８３０の形状を略同様の形状として設計できるため、設計の効率化が図れる。また、更にコンパクトな角度調整機構８００を実現できる。
【０１３６】
（８）本実施形態の角度調整機構８００は、保持部材としての保持ばね８６０により、ベース枠体８１０と第１枠体８２０を挟持して保持し、また、ベース枠体８１０と第２枠体８３０を挟持して保持している。これにより、ベース枠体８１０と第１枠体８２０とが離間しないように固定でき、また、ベース枠体８１０と第２枠体８３０とが離間しないように固定できる。また、この保持ばね８６０により、ベース枠体８１０と第１枠体８２０、およびベース枠体８１０と第２枠体８３０を挟持するため、ガタツキを抑制することができ、ベース枠体８１０に対して第１枠体８２０を円滑に回動することができる。同様に、ベース枠体８１０に対して第２枠体８３０を円滑に回動することができる。
【０１３７】
（９）本実施形態の角度調整機構８００において、保持部材は、ばね部材（保持ばね８６０）という簡易な構成で実現できる。また、ばね部材であるため、ばね力（本実施形態では、ベース枠体８１０と第１枠体８２０とを挟持する力、また、ベース枠体８１０と第２枠体８３０とを挟持する力）を適宜設定するための自由度が拡大する。
【０１３８】
（１０）本実施形態のプロジェクタ１は、角度調整機構８００により、入射側偏光板４４２、位相差板４４４の角度調整を行なうことにより、偏光軸や光軸の角度を最適に調整することができるため、投写するための光学像を、高コントラストおよび高輝度な光学像とすることができる。また、角度調整機構８００により、調整後においても入射側偏光板４４２、位相差板４４４の偏光軸や光軸の角度のずれを低減して、調整された角度を維持できるため、安定した品質を維持できる。
【０１３９】
（１１）本実施形態のプロジェクタ１は、角度調整機構８００において、取り付けの基準となるベース枠体８１０のベース枠固定部８１３を、位相差板４４４や入射側偏光板４４２の前方に設置されるフィールドレンズ４１９を含む前方の光学素子を収容する光学用筐体４５のベース枠体受部４５３に固定する。これにより、簡易な構成で角度調整機構８００をベース枠体受部４５３に固定できるとともに、角度の調整作業も効率化できる。
【０１４０】
（１２）本実施形態の角度調整機構８００は、入射側偏光板４４２や位相差板４４４の角度調整を行なった後、回動抑制部（抑制補助部材８４０、抑制部材）により、ベース枠体８１０に、第１枠体８２０および第２枠体８３０を固定することで、その後の角度変化を抑制（調整角度を維持）することができる。そのため、回動抑制部により固定した後に、接着剤などで、第１枠体８２０や第２枠体８３０をベース枠体８１０に接着して固定する作業は不必要となる。また、何らかの原因で角度調整が再び必要となった場合、抑制ネジ８５０を緩めて固定を解除することで、繰り返して角度調整を行なうことができる。これにより、角度調整後、再度の角度調整の必要が生じた場合に、接着剤などを剥離するなどの作業は必要なくなるため、剥離による第１枠体８２０、第２枠体８３０、およびベース枠体８１０の破損の恐れがなく、効率的に再度の角度調整が行なえる。いわゆる、リワークに対する作業効率の向上を図ることができる。
【０１４１】
（１３）本実施形態のプロジェクタ１において、角度調整機構８００のベース枠体８１０は、取り付け角度を調整する入射側偏光板４４２および位相差板４４４の前方に設置されるフィールドレンズ４１９を含む前方（光源装置４１１側）の光学素子を収容する光学用筐体４５に固定されている。この構成によれば、光学用筐体４５に収容する光学素子と角度調整機構８００で調整される光学素子とを一体の構成物（ユニット）として取り扱うことができ、実際の角度調整時にこのユニットを用いて、効率的に角度調整が行なえる。また、角度調整を終えたこのユニットをプロジェクタ１の外装ケース２に組み込む場合にも、一体であるため容易に組み込むことができる。また、リワークにおいても、角度調整機構８００は、光学用筐体４５から取り外しやすいため、作業効率を向上させる。
【０１４２】
なお、上述した実施形態に限定されず、種々の変更や改良などを加えて実施することが可能である。変形例を以下に述べる。
【０１４３】
（変形例１）前記実施形態において、回動抑制部の有する抑制補助部材８４０の固定部は、抑制補助部材案内部としての案内片８４３と、抑制部材案内部としての抑制ネジ案内孔８４２とで構成されている。しかし、これに限られず、ベース枠体８１０に抑制補助部材８４０を固定できる構造の固定部であればよい。詳細には、固定部（抑制補助部材案内部）は、突起部８１４と係合する案内片８４３の構造のみではなく、角度調整後の第１枠体８２０や第２枠体８３０の各々の本体（第１枠本体８２１、第２枠本体８３１）に対して、回動させる力（モーメント）が働かないように、抑制補助部材８４０をベース枠体８１０に固定する構造であればよい。
【０１４４】
（変形例２）前記実施形態において、ベース枠体８１０は、照明光軸Ｌに沿った方向で、ベース枠体８１０を挟んで、前側（光束入射側）および後側（光束射出側）に第１枠体８２０および第２枠体８３０を軸支している。しかし、これに限られず、ベース枠体は、照明光軸Ｌに沿った方向で、ベース枠体の前側および後側の一方の側に収容枠体を軸支することでもよい。詳細には、ベース枠体は、照明光軸Ｌに沿った方向で、ベース枠体の前側に収容枠体を軸支しているだけでもよいし、ベース枠体は、照明光軸Ｌに沿った方向で、ベース枠体の後側に収容枠体を軸支しているだけでもよい。これにより、光学設計上、適宜、収容枠体を軸支する側を決めることができる。また、角度調整を行なう光学素子と、その光学素子を収容する収容枠体と、収容枠体を軸支するベース枠体の位置関係の自由度を向上できる。
【０１４５】
（変形例３）前記実施形態において、角度調整機構８００は、光学素子としての入射側偏光板４４２および位相差板４４４に対して、取り付け角度を調整している。しかし、これに限られず、視野角を拡大する視野角補正板などに対しても、取り付け角度を調整しても良い。
【０１４６】
（変形例４）前記実施形態において、角度調整機構８００は、液晶パネル４４１の前方の光学素子（入射側偏光板４４２、位相差板４４４）に対して角度調整を行なっている。しかし、これに限られず、液晶パネル４４１の後方に設置される光学素子（射出側偏光板４４３など）に対して角度調整を行なってもよい。この場合、角度調整機構は、光学用筐体４５（上収容筐体４５Ａ）を液晶パネル４４１の後方まで延設して設置する構成で実現できる。また、クロスダイクロイックプリズム４４５や固定枠体４８などに角度調整機構を設置する構成でも実現できる。
【０１４７】
（変形例５）前記実施形態において、プロジェクタ１は、３つの液晶パネル４４１Ｒ，４４１Ｇ，４４１Ｂを用いているが、これに限られない。例えば、１つの液晶パネルのみを用いたプロジェクタ、２つの液晶パネルを用いたプロジェクタ、あるいは、４つ以上の液晶パネルを用いたプロジェクタにも適用可能である。
【０１４８】
（変形例６）前記実施形態において、プロジェクタ１は、透過型の液晶パネル４４１を用いているが、反射型の液晶パネルなど、反射型の電気光学装置を用いることも可能である。
【０１４９】
（変形例７）前記実施形態において、プロジェクタ１は、光源装置４１１として放電式ランプを用いているが、これに限られず、光源として、ＬＥＤ（Light Emitting Diode）素子などを用いることができる。
【０１５０】
（変形例８）前記実施形態において、プロジェクタ１は、フロントタイプのプロジェクタとして適用しているが、投写対象面としてのスクリーンを一体で有するリアタイプのプロジェクタにも適用できる。
【図面の簡単な説明】
【０１５１】
【図１】本発明の実施形態に係るプロジェクタの上面側から見た概略斜視図。
【図２】プロジェクタの下面側から見た概略斜視図。
【図３】プロジェクタの内部構造を示す斜視図。
【図４】光学ユニットの光学系を模式的に示す図。
【図５】調整機構を示す概略斜視図。
【図６】調整機構の分解斜視図。
【図７】第１枠体をベース枠体に組んだ状態を示す斜視図。
【図８】図７におけるＡ−Ａ位置で切断した状態を示す斜視図。
【図９】第１枠体をベース枠体に組んだ後に第２枠体をベース枠体に組んだ状態を示す斜視図。
【図１０】図９におけるＢ−Ｂ位置で切断した状態を示す斜視図。
【図１１】角度調整機構の照明光軸に沿った横断面図。
【図１２】角度調整機構（第１枠体）の調整動作を示す平面図。
【図１３】角度調整機構（第２枠体）の調整動作を示す平面図。
【符号の説明】
【０１５２】
１…プロジェクタ、４…光学ユニット、４５Ａ…上収容筐体、４１１…光源装置、４４１…液晶パネル（電気光学装置）、４４２…入射側偏光板、４４４…位相差板、４５３…ベース枠体受部、８００…角度調整機構（調整機構）、８１４…突起部（軸支部）、８１４Ａ…第１突起部、８１４Ｂ…第２突起部、８１５…ネジ孔（螺合部）、８１５Ａ…第１ネジ孔、８１５Ｂ…第２ネジ孔、８１６…係止部、８２０…第１枠体（収容枠体）、８２４…第１孔部（軸支部）、８２６…第１受部（調整部）、８３０…第２枠体（収容枠体）、８３４…第２孔部（軸支部）、８３６…第２受部（調整部）、８４０…抑制補助部材（回動抑制部）、８４１…押圧部（補助部）、８４２…抑制ネジ案内孔（抑制部材案内部（固定部））、８４３…案内片（抑制補助部材案内部（固定部））、８５０…抑制ネジ（抑制部材（回動抑制部））、８６０…保持ばね（保持部材）、８７０…固定ネジ。
【図１】
2010091645.tif 000003
【図２】
2010091645.tif 000004
【図３】
2010091645.tif 000005
【図４】
2010091645.tif 000006
【図５】
2010091645.tif 000007
【図６】
2010091645.tif 000008
【図７】
2010091645.tif 000009
【図８】
2010091645.tif 000010
【図９】
2010091645.tif 000011
【図１０】
2010091645.tif 000012
【図１１】
2010091645.tif 000013
【図１２】
2010091645.tif 000014
【図１３】
2010091645.tif 000015